(57)【要約】      （修正有）【課題】遠心分離機を複数の運転条件の下で連続的に動作させるための条件設定操作を、容易且つ正確に行うことができる遠心分離機を提案する。【解決手段】運転条件を複数のメモリーにそれぞれ記憶させておき、単独または連続してこれらのメモリーに記憶させた運転条件を呼び出して運転制御するように構成された遠心分離機１２において、上記複数のメモリーＭ１，Ｍ２，Ｍ３，Ｍ４に対応する複数のメモリー選択キー８ａ，８ｂ，８ｃ，８ｄを設け、該メモリー選択キーの選択によって、運転条件を記憶させるメモリーの特定及び運転条件を呼び出すメモリーの特定が成される遠心分離機とした。【選択図】図４
2010194443.tif 000002
【特許請求の範囲】
【請求項１】
運転条件を複数のメモリーにそれぞれ記憶させておき、単独または連続してこれらのメモリーに記憶させた運転条件を呼び出して運転制御するように構成された遠心分離機において、上記複数のメモリーに対応する複数のメモリー選択キーを設け、該メモリー選択キーの選択によって、運転条件を記憶させるメモリーの特定及び運転条件を呼び出すメモリーの特定が成されることを特徴とする、遠心分離機。
【請求項２】
上記メモリー選択キーの選択順序にかかわらず、運転条件を呼び出すメモリーの順序が予め特定されていることを特徴とする、請求項１に記載の遠心分離機。
【請求項３】
上記メモリーが複数のグループに分けられ、上記運転条件を呼び出すメモリーの順序が、前記分けられたメモリーのグループ内においてそれぞれ予め特定されていることを特徴とする、請求項２に記載の遠心分離機。
【請求項４】
上記運転条件を呼び出すメモリーの順序が、上記メモリー選択キーの選択によって特定されたメモリー中、メモリー番号の若い順に呼び出すように予め特定されていることを特徴とする、請求項２又は３に記載の遠心分離機。
【請求項５】
上記運転条件を呼び出すメモリーの順序が、上記メモリー選択キーの選択によって特定されたメモリー中、回転速度が遅い運転条件が記憶されたメモリーの順に呼び出すように予め特定されていることを特徴とする、請求項２又は３に記載の遠心分離機。
【発明の詳細な説明】
【技術分野】
【０００１】
本発明は、遠心分離機に関するもので、特に、複数の運転条件の下で連続的に動作させる遠心分離機に関するものである。
【背景技術】
【０００２】
特許文献１には、複数の運転条件にメモリー番号を設定して記憶装置に登録し、該記憶装置より上記メモリー番号により運転条件を呼び出して遠心分離機を運転制御するようにした遠心分離機において、連続運転のため上記メモリー番号と異なる特定のメモリー番号を設け、該特定のメモリー番号順に運転条件を上記記憶装置に登録し、まず最初に登録した運転条件を最初のメモリー番号で呼び出して遠心分離機を運転し、その運転が終了した時点で、次のメモリー番号で登録された運転条件を自動的に呼び出し、順次運転を継続するようにした遠心分離機が開示されている。
【先行技術文献】
【特許文献】
【０００３】
【特許文献１】特公平７−１８１号公報
【発明の概要】
【発明が解決しようとする課題】
【０００４】
ところで、遠心分離機の利用分野では、研究者向けに多種多様の抽出精製用途の試薬キットが提供されており、運転条件を変えて特定の運転順序の下で連続的に遠心分離機を運転することが要求される場合が多く発生している。例えば、第１の設定温度、第１の回転速度、第１の運転時間の条件の下で運転を行い、引き続いて、第２の設定温度、第２の回転速度、第２の運転時間の条件の下で運転を行うことが要求される場合があり、その場合の第１の運転条件と第２の運転条件との間には、特定の関係、例えば第１の回転速度は第２の回転速度より常に遅い等の条件が要求される場合がある。
【０００５】
このような場合、従来技術による遠心分離機では、操作性が悪く、往々にして入力ミス等の誤操作を引き起こしてしまうことがあった。即ち、例えば特許文献１に開示された技術では、複数の運転条件での連続運転を行う際には、特定のメモリー番号が使用され、その特定のメモリー番号順に運転条件を登録する必要があるため、各運転条件を設定するまでの手順が多く、操作が煩わしいものであった。また、最初の運転条件と次の運転条件とを逆に設定してしまうことも生じ、誤操作が生じ易いものであった。
【０００６】
そこで、本発明の目的は、遠心分離機を複数の運転条件の下で連続的に動作させるための条件設定操作を、容易且つ正確に行うことができる遠心分離機を提案することにある。
【課題を解決するための手段】
【０００７】
上記した課題は、次の〔１〕〜〔５〕の本発明によって解決された。
〔１〕  運転条件を複数のメモリーにそれぞれ記憶させておき、単独または連続してこれらのメモリーに記憶させた運転条件を呼び出して運転制御するように構成された遠心分離機において、上記複数のメモリーに対応する複数のメモリー選択キーを設け、該メモリー選択キーの選択によって、運転条件を記憶させるメモリーの特定及び運転条件を呼び出すメモリーの特定が成されることを特徴とする、遠心分離機。
〔２〕  上記メモリー選択キーの選択順序にかかわらず、運転条件を呼び出すメモリーの順序が予め特定されていることを特徴とする、上記〔１〕に記載の遠心分離機。
〔３〕  上記メモリーが複数のグループに分けられ、上記運転条件を呼び出すメモリーの順序が、前記分けられたメモリーのグループ内においてそれぞれ予め特定されていることを特徴とする、上記〔２〕記載の遠心分離機。
〔４〕  上記運転条件を呼び出すメモリーの順序が、上記メモリー選択キーの選択によって特定されたメモリー中、メモリー番号の若い順に呼び出すように予め特定されていることを特徴とする、上記〔２〕又は〔３〕に記載の遠心分離機。
〔５〕  上記運転条件を呼び出すメモリーの順序が、上記メモリー選択キーの選択によって特定されたメモリー中、回転速度が遅い運転条件が記憶されたメモリーの順に呼び出すように予め特定されていることを特徴とする、上記〔２〕又は〔３〕に記載の遠心分離機。
【発明の効果】
【０００８】
上記した本発明に係る遠心分離機によれば、運転条件を記憶させるメモリーを特定するキーと、運転条件を呼び出すメモリーを特定するキーとが、同一のメモリー選択キーであることから、操作性が極めて良好なものとなる。また、メモリー選択キーの選択順序にかかわらず、運転条件を呼び出すメモリーの順序が予め特定されている遠心分離機とした場合には、運転条件を変えて特定の運転条件の順で、例えば回転速度が常に遅い運転条件の順で確実に遠心分離機を連続動作させることができ、更に操作性が良好なものとなる。また、別途連続運転の為のキー等を設ける必要がなくなり、パネルの省スペース化が図れ、コストを軽減することもできる。
【図面の簡単な説明】
【０００９】
【図１】本発明に係る遠心分離機の実施の形態におけるパネル部分の一例を示した概念的な平面図である。
【図２】メモリーに運転条件を記憶させる手順の一例を示したフローチャートである。
【図３】遠心分離機を動作させるときの一例を示したフローチャートである。
【図４】電子回路の一例を示したブロック・ダイアグラムである。
【発明を実施するための形態】
【００１０】
以下、上記した本発明に係る遠心分離機の実施の形態を、図面を参照しながら詳細に説明する。
【００１１】
図１は本発明に係る遠心分離機の実施の形態における、パネル部分の一例を示した概念図である。
【００１２】
このパネル１は、遠心分離機の運転条件を設定し、実行するための入力部１ａ、パラメータ値表示部１ｂ、メモリー選択部１ｃ等を含む。また、このパネル１は、温度（ＴＥＭＰ）と、回転速度／遠心加速度（ＳＰＥＥＤ／ＲＣＦ）と、運転時間（ＴＩＭＥ）の組からなる運転条件のパラメータ値を入力するように構成されている。
【００１３】
遠心分離機の運転条件である温度、回転速度／遠心加速度、運転時間の値の設定は、それらに対応する運転条件選択キー３ａ，３ｂ，３ｃの中の一つを選択し、その後、設定値増加キー７ａと設定値減少キー７ｂを使って、温度表示手段４ａ、速度表示手段４ｂ、運転時間表示手段４ｃの表示値を変更することによって行う。
【００１４】
電源スイッチ２を入れると、温度の初期設定値（例えば４）が温度表示手段４ａに表示され、回転速度の初期設定値（例えば１３５００）が速度表示手段４ｂに表示され、分単位での運転時間の初期設定値（例えば１０）が運転時間表示手段４ｃに表示される。なお、ここで言う初期設定値とは、最も近々に行った運転条件の設定値と言う程度の意味で使用している。
【００１５】
運転条件選択キー３ｂを押すと、回転速度モードと遠心加速度モードが切り替わる。遠心加速度モードでは、遠心加速度の初期設定値（例えば１７７３０）が速度表示手段４ｂに表示される。再度運転条件選択キー３ｂを押すと、回転速度モードに戻り、再び回転速度の初期設定値（例えば１３５００）が速度表示手段４ｂに表示される。回転速度モードであるときには、文字「ｒｐｍ」の近くに配置された回転速度モード表示手段５ａが点灯し、遠心加速度モードであるときは、文字「Ｇ」の近くに配置された遠心加速度モード表示手段５ｂが点灯する。
【００１６】
上記初期設定値を変更するには、設定値増加キー７ａと設定値減少キー７ｂを使う。例えば、運転条件選択キー３ａを押して温度を選択し、その後、設定値増加キー７ａを押すと、温度表示手段４ａに表示される値がインクリメントできる、即ち所定の値だけ増加する。逆に、設定値減少キー７ｂを押すと、温度表示手段４ａに表示される値がデクリメントできる、即ち所定の値だけ減少する。このようにして値を増減し、所望の温度に設定する。回転速度或いは遠心加速度も、運転条件選択キー３ｂを押して同様に所望の値に設定する。分単位或いは秒単位の運転時間も、運転条件選択キー３ｃを押して同様に所望の値に設定する。
【００１７】
運転時間の分単位モードと秒単位モードとの切り替わりは、設定値増加キー７ａと設定値減少キー７ｂの操作に連動して行われる。即ち、１０〜５０秒の間は１０秒単位で、１〜９９分までは１分単位で設定値増加キー７ａ或いは設定値減少キー７ｂの操作により表示値を変更することができ、運転時間表示手段４ｃの表示値が〔５０〕秒の時に設定値増加キー７ａを押すと分単位モードに切り替わって〔１〕分と表示され、運転時間表示手段４ｃの表示値が〔１〕分の時に設定値減少キー７ｂを押すと秒単位モードに切り替わって〔５０〕秒と表示される。そして、分単位モードであるときには、文字「ｍｉｎ」の近くに配置された分単位モード表示手段６ａが点灯し、秒単位モードであるときは、文字「ｓｅｃ」の近くに配置された秒単位モード表示手段６ｂが点灯する。
【００１８】
運転条件の全てのパラメータ値を所望の値に設定した後、メモリーＭ１（ＭＥＭＯ１）、メモリーＭ２（ＭＥＭＯ２）、メモリーＭ３（ＭＥＭＯ３）、メモリーＭ４（ＭＥＭＯ４）にそれぞれ対応するメモリー選択キー８ａ，８ｂ，８ｃ，８ｄの中の一つ（例えばメモリー選択キー８ａ）を選択し、そして、それを例えば長押し（例えば３秒程度）することにより、対応するメモリー（例えばメモリーＭ１）に上の過程で設定した運転条件のパラメータ値を記憶させる。
【００１９】
同様にして、運転条件のパラメータ値を変えた後、他のメモリー選択キー（例えばメモリー選択キー８ｂ）を選択し、それを長押しして、それに対応するメモリー（メモリーＭ２）に値を記憶させる。なお、図１に示したパネル１においては、ＭＥＭＯ１とＭＥＭＯ２と記載されたメモリー選択キー８ａ，８ｂが一つのグループとされ、またＭＥＭＯ３とＭＥＭＯ４と記載されたメモリー選択キー８ｃ，８ｄが他のグループとされて配置されている。即ち、４つのメモリーＭ１，Ｍ２，Ｍ３，Ｍ４が、２個ずつ２つのグループに分けられて配置されている。しかし、これに限らず、例えば、ＭＥＭＯ５とＭＥＭＯ６と記載されたメモリー選択キー８ｅ，８ｆのグループが更に配置されていてもよく、また、２個が一グループではなく、ＭＥＭＯ１、ＭＥＭＯ２そしてＭＥＭＯ３と記載されたメモリー選択キー８ａ，８ｂ，８ｃが一つのグループとされて配置されていてもよい。
【００２０】
図２はメモリーＭ１，Ｍ３に、新たな運転条件を記憶させる手順を示したフローチャートである。メモリー素子は書き換え可能な不揮発性メモリーである。第１ステップで、遠心分離機の運転条件を入力し、第２ステップでメモリー選択キー８ａを長押しすることにより、不揮発性メモリーであるメモリーＭ１に第１の運転条件を記憶させる。続いて、第４ステップで遠心分離機の他の運転条件を入力し、第５ステップでメモリー選択キー８ｃを長押しすることにより、不揮発性メモリーであるメモリーＭ３に第３の運転条件を記憶させる。なお、この場合、メモリーＭ２に記憶された第２の運転条件、及びメモリーＭ４に記憶された第４の運転条件は変更されない。
【００２１】
メモリーＭ１，Ｍ２等に記憶された運転条件の実行順序は、メモリーＭ１，Ｍ２等に対応するメモリー選択キー８ａ，８ｂ等を押す順序にかかわらず、予め特定されている。図１に示した実施の形態に係る遠心分離機においては、上記したように、メモリー選択キー８ａ，８ｂが一つのグループとされ、メモリー選択キー８ｃ，８ｄが他のグループとされて配置されている。そして、この実施の形態においては、それぞれのグループの中で、いずれのメモリー選択キーを先に押したとしても、メモリーの呼び出し順序は若いメモリー番号順に呼び出されるように特定されている。即ち、メモリー選択キーを、メモリー選択キー８ａそしてメモリー選択キー８ｂと押しても、メモリー選択キー８ｂそしてメモリー選択キー８ａと押しても、メモリーの呼び出し順序は、メモリー番号の若いメモリーＭ１，メモリーＭ２の順序で呼び出されて遠心分離機の運転が行われる。
【００２２】
上記した運転条件を呼び出すメモリーの特定順序は、一例であり、例えば、上記メモリー選択キーの選択によって特定されたメモリー中、回転速度が遅い運転条件（回転速度ゼロを含む。）が記憶されたメモリーの順に呼び出すように特定されていても良い。即ち、メモリーＭ１に、温度〔４〕℃、回転速度〔１３５００〕ｒｐｍ、運転時間〔１０〕分の運転条件が記憶されており、メモリーＭ２に、温度〔４〕℃、回転速度〔０〕ｒｐｍ、運転時間〔５〕秒の運転条件が記憶されている場合に、メモリー選択キー８ａ，８ｂの押す順序にかかわらず、メモリーの呼び出し順序は、回転速度が遅い運転条件が記憶されたメモリーＭ２が先に呼び出され、その後メモリーＭ１の運転条件が呼び出されるように構成されていてもよい。なお、この際のメモリー選択キーの押し方は、前記した運転条件を記憶させるメモリーを特定する場合の例えば長押し（例えば３秒程度）ではなく、普通に短く押す等の相違した押し方となる。
【００２３】
また、図１の実施の形態では、各メモリー選択キー８ａ，８ｂ，８ｃ，８ｄである文字「ＭＥＭＯ１」，「ＭＥＭＯ２」，「ＭＥＭＯ３」，「ＭＥＭＯ４」の近くにそれぞれ発光ダイオードＬ１，Ｌ２，Ｌ３，Ｌ４が配設されている。そして、メモリー選択キー８ａ，８ｂ，８ｃ，８ｄのいずれかを押すことにより、運転条件を記憶させるメモリーを特定した際、或いは運転条件を呼び出すメモリーを特定した際に、それぞれに対応して発光ダイオードＬ１，Ｌ２，Ｌ３，Ｌ４が発光し、また、いずれかのメモリーに記憶されている運転条件で遠心分離機を動作させている期間中、それに対応して発光ダイオードＬ１，Ｌ２，Ｌ３，Ｌ４が発光するように構成されている。これによって、選択したメモリー、また、現在動作中の運転条件を記憶したメモリーが何であるかが分かる。例えば、メモリー選択キー８ｃを押すことによりメモリーＭ３に記憶されている運転条件を呼び出した際、或いは、メモリーＭ３に記憶されている運転条件で遠心分離機が動作している期間中は、文字「ＭＥＭＯ３」の近くに配置されている発光ダイオードＬ３が点灯或いは点滅で発光するように構成されている。
【００２４】
図３は、遠心分離機を動作させるときの一例を示したフローチャートである。
【００２５】
メモリーＭ１〜メモリーＭ４に運転条件が記憶されている状態で、図３に示したように、メモリーＭ２に対応するメモリー選択キー８ｂを押すと、メモリーＭ２に記憶されている運転条件が呼び出され、パラメータ値表示部１ｂにその運転条件が表示されると共に、発光ダイオードＬ２が点灯する。続いて、スタートキー９が押されると（フローチャートの左列の状態）、メモリーＭ２の運転条件で遠心分離機が動作を開始し、その運転条件での動作が終了するまで発光ダイオードＬ２が点滅し続け、現在実行中の運転条件がメモリーＭ２に記憶された運転条件であることを表示する。設定されたメモリーＭ２の運転条件での動作が終わると、発光ダイオードＬ２の発光がスタートキー９を押す直前の状態である点灯に戻り、運転動作は終了する。
【００２６】
一方、メモリーＭ２に対応するメモリー選択キー８ｂを押した後、スタートキー９を押すことなく、続いて、メモリーＭ１に対応するメモリー選択キー８ａが押されると、メモリーＭ１に記憶されている運転条件が呼び出され、パラメータ値表示部１ｂにはその運転条件が表示されると共に、発光ダイオードＬ１が点灯する。そして、スタートキー９が押されると（フローチャートの中列の状態）、メモリー選択キーの押された順序にかかわらず、若いメモリー番号であるメモリーＭ１の運転条件で遠心分離機が動作を開始し、その運転条件での動作が終わるまで発光ダイオードＬ１が点滅し続け、現在実行中の運転条件がメモリーＭ１に記憶された運転条件であることを表示する。メモリーＭ１の運転条件での動作が終了すると、自動的にメモリーＭ２に記憶された運転条件で遠心分離機が動作を続け、その運転条件での動作が終わるまで発光ダイオードＬ２が点滅し続け、現在実行中の運転条件がメモリーＭ２に記憶された運転条件であることを表示する。設定された運転条件での動作が終わると、全ての発光ダイオードＬ１，Ｌ２の発光が、スタートキー９を押す直前の状態である点灯に戻り、運転動作は終了する。
【００２７】
さらに一方、メモリーＭ２に対応するメモリー選択キー８ｂが押され、続いて、メモリーＭ１に対応するメモリー選択キー８ａが押され、さらに、メモリーＭ３に対応するメモリー選択キー８ｃが押されると、メモリーＭ３に記憶されている運転条件が呼び出され、パラメータ値表示部１ｂにその運転条件が表示されると共に、発光ダイオードＬ３が点灯する。そして、スタートキー９が押されると（フローチャートの右列の状態）、メモリー選択キーの押された順序にかかわらず、スタートキー９が押される直前のメモリー選択キー８ｃとはグループの異なる先のメモリー選択キー８ａ，８ｂの選択は無視され、メモリー選択キー８ｃに対応するメモリーＭ３の運転条件で遠心分離機が動作を開始し、その運転条件での動作が終わるまで発光ダイオードＬ３が点滅し続け、現在実行中の運転条件がメモリーＭ３に記憶された運転条件であることを表示する。設定されたメモリーＭ３の運転条件での動作が終わると、発光ダイオードＬ３の発光がスタートキー９を押す直前の状態である点灯に戻り、運転動作は終了する。
【００２８】
図４は、図１の実施の形態に対応する電子回路のブロック・ダイアグラムである。中央制御装置１１はパネル１内の、運転条件選択キー３ａ，３ｂ，３ｃ、温度表示手段４ａ、速度表示手段４ｂ、運転時間表示手段４ｃ、回転速度モード表示手段５ａ、遠心加速度モード表示手段５ｂ、分単位モード表示手段６ａ、秒単位モード表示手段６ｂ、設定値増加キー７ａ、設定値減少キー７ｂ、メモリー選択キー８ａ，８ｂ，８ｃ，８ｄ、電源スイッチ２、スタートキー９、ストップキー１０、発光ダイオードＬ１〜Ｌ４、及び不揮発性メモリーに接続されている。不揮発性メモリーは、上記メモリーＭ１、メモリーＭ２、メモリーＭ３、メモリーＭ４、及び各メモリーの運転条件の実行順序を記憶するシーケンス用メモリーＭＳを備える。中央制御装置１１は、上に詳しく説明したデータ処理を実行するためのプログラムを内蔵し、そのプログラムに従って、遠心分離機１２の回転制御部，温度制御部の動作を制御する。
【００２９】
上記した本発明に係る遠心分離機では、運転条件を記憶させるメモリーを特定するキーと、運転条件を呼び出すメモリーを特定するキーとが、同一のメモリー選択キー８ａ，８ｂ，８ｃ，８ｄであることから、操作性が極めて良好なものとなると共に、パネルの省スペース化にもなり、コストを軽減することができる。また、メモリー選択キーの選択順序にかかわらず、運転条件を呼び出すメモリーの順序が予め特定されているので、運転条件を変えて特定の運転条件の順で、例えば回転速度が常に遅い運転条件の順で確実に遠心分離機を連続動作させることができる。
【００３０】
以上、本発明に係る遠心分離機を説明したが、本発明は、何ら既述の実施の形態に限定されるものではなく、特許請求の範囲に記載した本発明の技術的思想の範囲内において、種々の変形及び変更が可能であることは当然である。
【符号の説明】
【００３１】
１      パネル
１ａ    入力部
１ｂ    パラメータ値表示部
１ｃ    メモリー選択部
２      電源スイッチ
３ａ，３ｂ，３ｃ    運転条件選択キー
４ａ    温度表示手段
４ｂ    速度表示手段
４ｃ    運転時間表示手段
５ａ    回転速度モード表示手段
５ｂ    遠心加速度モード表示手段
６ａ    分単位モード表示手段
６ｂ    秒単位モード表示手段
７ａ    設定値増加キー
７ｂ    設定値減少キー
８ａ，８ｂ，８ｃ，８ｄ  メモリー選択キー
９      スタートキー
１０    ストップキー
１１    中央制御装置
１２    遠心分離機
Ｌ１〜Ｌ４    発光ダイオード
【図１】
2010194443.tif 000003
【図２】
2010194443.tif 000004
【図３】
2010194443.tif 000005
【図４】
2010194443.tif 000006